(57)【要約】 【課題】  効率的でスムーズな射出成形が行えると共に、成形後にポリプロピレンの優れた耐衝撃性を確保しながらも忌避剤のブリード性に優れ、長期にわたって良好な徐効性が発揮される射出成形用有害生物忌避剤含有組成物および該組成物を用いた射出成形品の提供。【解決手段】  担体となるポリプロピレン樹脂に有害生物忌避剤を含有せしめてなる射出成形用の組成物であって、前記ポリプロピレン樹脂がランダムコポリマーであり、前記有害生物忌避剤が常温で液体のアルキルアルカノールアミンからなるものとした。【選択図】      なし【特許請求の範囲】
【請求項１】
担体となるポリプロピレン樹脂に有害生物忌避剤を含有せしめてなる射出成形用の組成物であって、
前記ポリプロピレン樹脂がランダムコポリマーであり、前記有害生物忌避剤が常温で液体のアルキルアルカノールアミンからなることを特徴とする射出成形用有害生物忌避剤含有組成物。
【請求項２】
前記アルキルアルカノールアミンの射出成形用組成物全体に対する含有率が１〜６％であることを特徴とする請求項１に記載の射出成形用有害生物忌避剤含有組成物。
【請求項３】
前記アルキルアルカノールアミンがアルキルジエタノールアミン又はアルキルジプロパノールアミンであることを特徴とする請求項１又は請求項２に記載の射出成形用有害生物忌避剤含有組成物。
【請求項４】
前記アルキルジエタノールアミンは、アルキル基の炭素数が１２〜１６のものであることを特徴とする請求項３に記載の射出成形用有害生物忌避剤含有組成物。
【請求項５】
前記有害生物忌避剤は、遊離アミンを含む有害不純物の含有量が１％以下であることを特徴とする請求項３又は請求項４に記載の射出成形用有害生物忌避剤含有組成物。
【請求項６】
請求項１〜５のいずれか１項に記載の射出成形用有害生物忌避剤含有組成物によって少なくとも一部の部位を成形してなることを特徴とする射出成形品。
【請求項７】
前記射出成形用有害生物忌避剤含有組成物によって成形される部位が、射出成形品の地面載置状態における地対面領域であることを特徴とする請求項６に記載の射出成形品。
【発明の詳細な説明】
【技術分野】
【０００１】
本発明は、ポリプロピレンを主剤とした射出成形用の樹脂組成物およびその射出成形品の関し、詳しくは、有害生物忌避剤を含有する組成物およびその射出成形品に関するものである。
【背景技術】
【０００２】
現在、ポリプロピレンを主剤とする射出成形品で多くの耐衝撃性や耐熱性を有する製品が安価に製造されている。そのなかで、従来の割れやすく重くて扱いづらい素焼きの植木鉢やプランターに代わって、壊れにくく軽量で扱いやすい合成樹脂製品も普及しており、近年の植木鉢やプランターを用いて簡便に楽しめる園芸の普及に伴ってその需要も大幅に増加している。
【０００３】
一方、このような植木鉢やプランターを用いた園芸においても、植物の葉、花、果実などを食するナメクジ等の有害生物を植物に近づけないための手段が求められている。もちろん従来から有害生物を遠ざけたり殺虫するための薬剤自体は各種開発されており、一般的に用いられるものも多く市販されている。
【０００４】
しかしながらこのような薬剤は、通常、植木鉢に塗布したり散布したりするものであって、短期的な効果しか望めず、また雨で流されやすいため、害虫多発の時期には頻繁に塗付、散布等の作業を続ける必要があった。特に、ナメクジなどの雨後に現れやすく、また塗付や散布が不充分となりやすい植木鉢の外側底面に付く害虫には効果が発揮し難かった。
【０００５】
そこで、植木鉢自体に害虫忌避効果を付与したものが開発され始めている。合成樹脂製の植木鉢やプランターなどの成形工程において、予め成形品の樹脂基体に忌避剤を混合してなる組成物を用いるものである（例えば、特許文献１、特許文献２参照。）。この忌避剤含有組成物を用いた樹脂成形品では、本体中の忌避剤が徐々に表面側ににじみ出て長期に亘って薬剤効果を発揮する徐効性を有するものである。
【０００６】
【特許文献１】特公平５−２９３６１号公報
【特許文献２】特許第２９４３１３５号公報
【発明の開示】
【発明が解決しようとする課題】
【０００７】
しかしながら、従来の害虫忌避剤含有組成物からなる樹脂成形品のように、ただ単品で効果がある忌避剤を適当に選択して、各種合成樹脂の基体に混合するだけでは、基体材料と忌避剤との選択によっては成形工程の際に互いに相分離するなどの支障を生じたり、また成形品において基体材料が本来持っていた耐衝撃性を低減させてしまう危険性があった。さらに、基体材料によっては成形品の徐々に薬剤成分が外側ににじみ出るブリード性が低く、良好な徐効性が得られない場合もある。さらに、忌避剤についてもブリードしたものが人体や植物に有害であっては困る。
【０００８】
本発明の目的は、上記問題点に鑑み、ポリプロピレンを主剤とした射出成形用の有害生物忌避剤含有組成物において、効率的でスムーズな射出成形が行えると共に、成形後にポリプロピレンの優れた耐衝撃性を確保しながらも忌避剤のブリード性に優れ、長期にわたって良好な徐効性が発揮される組成物およびその射出成形品を提供することにある。
【課題を解決するための手段】
【０００９】
上記目的を達成するため、請求項１に記載の発明に係る射出成形用有害生物忌避剤含有組成物は、担体となるポリプロピレンに有害生物忌避剤を含有せしめてなる射出成形用の組成物であって、前記ポリプロピレンがランダムコポリマーであり、前記有害生物忌避剤が常温で液体のアルキルアルカノールアミンからなるものである。
【００１０】
請求項２に記載の発明に係る射出成形用有害生物忌避剤含有組成物は、請求項１に記載の射出成形用有害生物忌避剤含有組成物において、前記アルキルアルカノールアミンの射出成形用組成物全体に対する含有率が１〜６％であることを特徴とするものである。
【００１１】
請求項３に記載の発明に係る射出成形用有害生物忌避剤含有組成物は、請求項１又は請求項２に記載の射出成形用有害生物忌避剤含有組成物において、前記アルキルアルカノールアミンがアルキジエタノールアミン又はアルキルジプロパノールアミンであることを特徴とするものである。
【００１２】
請求項４に記載の発明に係る射出成形用有害生物忌避剤含有組成物は、請求項３に記載の射出成形用有害生物忌避剤含有組成物において、前記アルキルジエタノールアミンは、アルキル基の炭素数が１２〜１６のものである。
【００１３】
請求項５に記載の発明に係る射出成形用有害生物忌避剤含有組成物は、請求項３又は請求項４に記載の射出成形用有害生物忌避剤含有組成物において、前記有害生物忌避剤は、遊離アミンを含む有害不純物の含有量が１％以下であることを特徴とするものである。
【００１４】
請求項６に記載の発明に係る射出成形品は、請求項１〜５のいずれか１項に記載の射出成形用有害生物忌避剤含有組成物によって少なくとも一部の部位を成形してなるものである。
【００１５】
請求項７に記載の発明に係る射出成形品は、請求項６に記載の射出成形品において、前記射出成形用有害生物忌避剤含有組成物によって成形される部位が、射出成形品の地面載置状態における地対面領域であるものである。
【発明の効果】
【００１６】
本発明の射出成形用有害生物忌避剤含有組成物は、有害生物忌避剤として、担体であるポリプロピレンに相溶性を有するアルキルアルカノールアミンを薬効成分とするものが添加混合されたものであるため、射出成形工程において、相分離等の問題も何ら生じることなくスムーズに成形が行え、効率的な徐効性有害生物忌避剤含有射出成形品を得ることができるという効果がある。
【００１７】
特に、ポリプロピレンとしてランダムコポリマーを用いたことにより、射出成形品で常温乃至低温（０℃程度）において優れた耐衝撃性が得られるため従来から多用されていたブロックコポリマーと同等の耐衝撃性が発揮されると同時に、結晶領域がブロックコポリマーより少ない分、薬剤が外側へしみ出すブリード性に優れているため、成形品に良好な徐効性が確保できるだけでなく、低濃度でも有害生物忌避効果が発揮され、経済的にも効率的であるという効果がある。
【００１８】
また本発明による射出成形品は、植木鉢等の植木関連品の他にも、残飯等を入れるゴミ容器や生野菜を載置するパレット等、広く各種の戸外用品にも有効であると同時に、用いられている忌避剤としてのアルキルアルカノールアミンは植物の育成に悪影響が無く、土壌の心配も無いものである。
【発明を実施するための最良の形態】
【００１９】
本発明は、ポリプロピレン樹脂を主剤として有害生物忌避剤を含有せしめてなる射出成形用組成物であり、該組成物によりナメクジなどの生活害虫を寄りつかせない有害生物忌避の徐効性を備えた射出成型品が得られるものである。
【００２０】
本発明においては、主剤樹脂に添加混合される有害生物忌避剤として、従来から単独で有害生物忌避剤に用いられていたアルキルアルカノールアミンを薬効成分とするものを用いている。アルキルアルカノールアミン（又はアルキルアミノアルコール）は、アルキルアミンの活性水素をヒドロキシアルキル基で置換された化合物であり、アルキルアミンとエチレンオキシド又はプロピオンオキシドとで合成されるものである。例えば、アルキルアミンの活性水素の１個又は２個をヒドロキシエチル基、ヒドロキシプロピル基、ヒドロキシブチル基などで置換したものが挙げられる。
【００２１】
また、これらのアルキルアルカノールアミンは、低濃度でも生活害虫に対する忌避効果を発揮するが、化粧品、シャンプー、洗剤など、多種多様な物質の製造にも用いられており、低濃度では接触によりヒト皮膚を傷害することはない。なお、本発明において用いるアルキルアルカノールアミンとしては、成形品使用時に忌避効果を発揮させるためのブリード性を確保するために少なくとも２５℃付近の常温で液体状態のものとする。これにより、射出成形時の扱いも容易となる。
【００２２】
以上の様な有害生物忌避剤としてのアルキルアルカノールアミンは、ポリプロピレン樹脂との相溶性を有しており、主剤に添加混合されてなる組成物は射出成形工程において相分離等の問題は生じず、スムーズに成形作業を進めることができ、効率的に有害生物忌避剤含有成形品を得ることができる。またアルキルアルカノールアミンは、ポリプロピレン樹脂のランダムコポリマーの耐衝撃強度をブロックコポリマーと同程度に向上させている。
【００２３】
さらに、本発明においては、ポリプロピレン樹脂としてランダムコポリマーを用いることにより、従来から成形品に高い耐衝撃性が得られることから多用されてきたブロックコポリマーより結晶領域が少ない分、含有する有害生物忌避剤が少しずつ外側へしみ出すブリード性に優れてた射出成形品が得られる。
【００２４】
しかも、このポリプロピレンのランダムコポリマーを担体とする射出成形品では、後述する実施例から明らかなように、常温から０℃程度の低温にかけて、ポリプロピレンのブロックコポリマーを担体とする射出成型品と同等の耐衝撃性を示すものである。即ち、本発明による射出成形用組成物は、成形品に優れた耐衝撃性と、優れたブリード性による良好な有害生物忌避剤の徐効性を付与するものである。
【００２５】
なお、有害生物忌避剤としてのアルキルアルカノールアミンの含有量は、射出成形用組成物全体に対して１〜６％が好ましい。１％より少ない量では、忌避剤としての効果が充分発揮できず、７％以上では成形品の表面に粘着性が生じ、ゴミ等が付着し易くなると共に、含有量に伴ってべたつきが増え、実質的に商品として相応しいものではなくなる。
【００２６】
また長期の使用に伴って雨でブリードしている有害生物忌避剤が流されることから、薬剤効果の持続性は、植木鉢の肉厚の装置（含有量）や含有率が低いほど短く、耐水性に関しては３％以上とすることがより望ましい。
【００２７】
また、アルキルアルカノールアミンの具体的なものとしては、アルキルジエタノールアミン又はアルキルジプロパノールアミンが望ましい。特にアルキルジエタノールアミンは従来から有害生物忌避剤として製造、市販されてきており、充分な効果が確認されていると共に入手が容易である。
【００２８】
このようなアルキルジエタノールアミンにおいて、アルキル基の炭素数が１２〜１６のものがポリプロピレン樹脂との相溶性に優れており、また成形品においてより優れたブリード性を示し、最も望ましい。これに対して炭素数１６を越えて大きくなるほど、ランダムコポリマーを担体としながらもブリード性が低減傾向であり、成形品における有害生物忌避効果が発揮されにくくなるとともに、成形品がべたついたり平坦なものほど目立つ表面ムラが生じるなど成形工程でのトラブルが発生しやすくなる。
【００２９】
また、アルキルジエタノールアミンは、通常、やし油から合成している。まず、やし油を加水分解して、主成分であるラウリル酸（Ｃ１２）とその他の成分（カプロン酸（Ｃ６）、カプリル酸（Ｃ６）、ミリスチン酸（Ｃ１４）及びオレイン酸（Ｃ１８））とを含んだ脂肪酸混合物を得る。この脂肪酸混合物から第１アミンを合成し、この第１アミンにエチレンオキシドやプロピオンオキシアドを付加させる。各工程では分離精製が行われておらず、やし油から合成されたアルキルジエタノールアミンは、アルキル基の炭素数１２のものを主成分とし、炭素数６，１４，１８の成分を含んでいる。
【００３０】
また、その合成過程でジエタノールアミン等の遊離アミンが含まれているが、この遊離アミンが皮膚障害を起こす原因となる。そこで、本発明で用いる有害生物忌避剤としては、このような遊離アミンを含む有害不純物の含有量ができるだけ少ないものが望ましいのは言うまでもない。このような遊離アミンは、例えばアミンキャッチャーを用いるなどして、１％以下の微量にまで除去できる。アミンキャッチャーとしてはテンペル系の薬剤が良い。
【００３１】
このように、遊離アミンを含む有害不純物の含有量が１％以下の微量に抑えられた有害生物忌避剤が望ましいが、この有害生物忌避剤にさらに脂肪酸化合部や脂肪酸エステル類を加えたものとすることによって、微量でも残っている不純物をブロックして無害化することができる。
【００３２】
以上のような本発明における有害生物忌避剤含有組成物により得られる射出成形品は、良好な有害生物忌避剤の徐効性を備え、耐衝撃性に優れたものである。このような射出成形品としては、戸外に載置されて用いられ、ナメクジやダンゴムシ等の生活害虫が取り付く可能性が考えられる様々なものに適しており、例えば、ナメクジ等の生活害虫の忌避が望まれる植木鉢や鉢カバー、鉢皿、プランター、またこれらのものが載置されるスタンド、またその基礎台などの植木関連の成形品に好適である。
【００３３】
また上記害虫は、大量発生時期には植物の有無にかかわらず戸外に長期間設置されるものにも取り付くことは多く、本発明による射出成形品として、上記のような植木関連品に限らず、収納容器や踏み台、また残飯等を入れるゴミ容器や、生野菜等を載置するパレットなど、各種の戸外使用品にも適している。
【００３４】
このような射出成形品の成形方法としては、予め主剤であるポリプロピレン樹脂に有害生物忌避剤を混合して調製しておいた有害生物忌避剤含有組成物をホッパを介して直接成形機へ供給して射出成形を行っても良いが、ホッパに、ポリプロピレン樹脂と有害生物忌避剤をそれぞれ投入し、このホッパ内で両者を混練して有害生物忌避剤含有組成物を調製してから成形機へ供給し、射出成形を行っても良い。
【００３５】
なお、これらの射出成形品は、全体を有害生物忌避剤含有組成物で成形する構成に限らず、少なくとも一部が有害生物忌避剤含有組成物で成形されるものも含まれる。例えば、ナメクジやダンゴムシ等は、前記のような植木関連成型品に地面を這って近づき、下方から取り付いて植物をめざして移動するものであるため、例えば植木鉢の接地部付近や下方領域のみを有害生物忌避剤含有組成物で成形しても効果的である。このように一部を有害生物忌避剤含有組成物で成形し、他の部分は通常の担体用ポリプロピレン樹脂から成形する構成とすれば、有害生物忌避剤の節約になり、経済的にも効率がよい。また、他の部分に再生樹脂を使用すれば、より安価に製品を製造することができる。
【００３６】
このような射出成形品の有害生物忌避剤含有組成物が用いられる一部分としては、上記のような害虫の挙動からその使用状態における地対面領域のみでも有効である。例えば、植木鉢や鉢カバーなどは、良好な水はけなどのために外側底部は外周に実際に地面に接する支持部が形成されてその中央領域が地面と離れて略地対面状態となっていることが多いが、ナメクジやダンゴムシなどの害虫などはこの暗部となる地対面領域に付着しやすく、またこの領域に形成されている排水用の孔から鉢内へ入ろうとするものもある。従って、少なくともこの地対面領域が有害生物忌避剤含有組成物で成形されていれば、その忌避剤の徐効性によりこれらの害虫が取り付くのを防ぐことができる。
【００３７】
また、植木鉢、鉢カバーに限らず、フラワースタンドの下側裏面など、各種植木関連成形品で陰となる地対面領域は、通常、使用者の手が触れる機会はまれであるため、他の触れやすい露出表面ほど皮膚障害の問題を重要視する必要がないため、不純物の除去を省いた有害生物忌避剤を用いた組成物の利用が可能であり、より経済的な効率が向上する。
【００３８】
上記のような一部を有害生物忌避剤含有組成物により成形される射出成形品の成形方法としては、例えば２個の射出シリンダを備えた射出成形機を用いれば容易に該成形品が得られる。即ち、一方の射出シリンダに有害生物忌避剤含有組成物を供給して所望の部分を成形し、他方の射出シリンダに有害生物忌避剤を含まないポリプロピレン樹脂を供給して残部を成形するという工程で一部を有害生物忌避剤含有組成物により成形された射出成形品が得られる。
【００３９】
なお、本発明の有害生物忌避剤含有組成物を用いた射出成形では、一般的なポリプロピレン系樹脂組成物の射出成形の条件設定を適用すればよい。ただし、温度条件は、有害生物忌避剤の安定性を考慮し、必要以上に高温とすべきではなく、例えばアルキルジエタノールアミンに関しては上限温度を２４０℃とするのが好ましく、２００℃程度に抑えるのがより望ましい。このような２４０℃以下という射出成形条件は従来から一般的にポリプロピレン系樹脂の射出成形で設定されているものであり、何ら支障はない。
【実施例１】
【００４０】
本発明の第１の実施例として、ポリプロピレンのランダムコポリマー（以下ランダムＰＰと記す）を担体とした樹脂組成物より植木鉢を射出成形し、ポリプロピレンのブロックコポリマー（以下、ブロックＰＰと記す）を担体とした場合を対照にその耐衝撃性とブリード性とを試験した結果を以下に示す。なお、本実施例では、成形物のブリード性を検討するのに、実際の常温で液体の有害生物忌避剤の代用として従来からポリプロピレン樹脂成形品の添加物として使用されている常温で液体の帯電防止剤（花王株式会社製品：ＴＳ−３Ｂ）を用いた。
【００４１】
成形した植木鉢は、いずれも開口直径約２１ｃｍ、肉厚約２．７ｍｍとし、ランダムＰＰを担体として前記帯電防止剤を組成物全体の０．６％含有せしめてなる組成物より成形された植木鉢（実施例１成形品とする）と、ブロックＰＰを担体として前記帯電防止剤を組成物全体の０．４％含有せしめてなる組成物より成形された植木鉢（対照例１成形品とする）とを各２個ずつで試験した。
【００４２】
まず、耐衝撃性試験１として、各植木鉢に３ｋｇの土を入れ、環境試験室内で所定の各環境条件を経た後、コンクリート床面に各高さ（３０〜１００ｃｍ）から３回ずつ落下させ、落下後の植木鉢の損傷の有り（×）無し（○）を評価した。落下試験前の環境条件は、成形後のものとして環境試験室内での温度変化にさらされることのないもの（条件Ａとする）、４５℃の環境試験室内に８日間載置された後、常温下に５時間戻したもの（条件Ｂとする）、４５℃の環境試験室内に８日間載置された後、０℃の条件下に１日放置したもの（条件Ｃとする）、の３種である。落下試験の結果を以下の表１に示す。
【００４３】
【表１】
2005139253.tif 000002
【００４４】
表１に示す結果から明らかなように、条件Ａおよび条件Ｂを経た植木鉢においては、ランダムＰＰを担体としたものがブロックＰＰを担体としたものより若干、良好な耐衝突衝撃性を示し、条件Ｃでは両者同等レベルの耐衝突衝撃性を示した。即ち、ランダムＰＰを担体とした成形品では、４５℃から０℃という高気温から低気温に亘る条件下において、ブロックＰＰを担体とするものと同等以上の優れた耐衝突衝撃性が示されることが確認された。
【００４５】
次に、耐衝撃性試験試験２として、植木鉢が土入れ後にどれだけ広げられるかのたわみ量を測定した。具体的には、実施例１成形品と対照例１成形品とについて、それぞれ条件Ａと条件Ｂを経た後に、土入れ前と土入れ後の開口直径を測定した。測定直径は、互いに直交する２方向で行った。測定結果を以下の表２に示す。
【００４６】
【表２】
2005139253.tif 000003
【００４７】
表２に示し結果から明らかなように、いずれの場合も土入れ前に対する土入れ後にたわみ量は誤差範囲であり、ランダムＰＰを担体としたものとブロックＰＰを担体としたものとの間に差はなく、４５℃の高気温から常温に亘って、ランダムＰＰを担体とした成形品は、ブロックＰＰを担体とした成型品と同等の優れた耐押圧衝撃性を示すことが確認された。
【００４８】
以上の耐衝撃性試験１および２の結果から、帯電防止剤を添加したランダムＰＰを担体とした成形品は、従来から耐衝撃性に優れたものとして利用されているブロックＰＰを担体とする成形品と同等以上の優れた耐衝撃性が示されることが明らかとなった。
【００４９】
次に、ブリード性試験として、上記実施例１成形品と対照例１成形品とのそれぞれについて、４５℃の環境試験室に８日間載置したのち、帯電防止剤のブリード状態を目視により観測した。結果を以下の表３に示す。
【００５０】
【表３】
2005139253.tif 000004
【００５１】
表３の結果から明らかなように、同種の薬剤を含有せしめてなるポリプロピレン樹脂組成物による成形品において、ランダムＰＰを担体としたものでは、ブロックＰＰを担体とした成型品より薬剤のブリード性に優れていることが確認された。これは、ランダムＰＰがブロックＰＰより結晶領域が少ない分、成形品中に含有されている薬剤が外側へにじみ出やすいためと思われる。
【実施例２】
【００５２】
本発明の第２の実施例として、上記実施例１で優れた耐衝撃性とブリード性が確認された担体としてのランダムＰＰに実際に有害生物忌避剤を各濃度で含有せしめてなる組成物よりそれぞれ射出成形して得られた植木鉢について、ブロックＰＰを担体として同種の有害生物忌避剤を含有せしめてなる組成物の射出成形品を対照として、有害生物忌避剤のブリード性を評価した。
【００５３】
なお、本実施例で用いた有害生物忌避剤は、常温で液体のアルキルジエタノールアミンを主成分としたもの（花王株式会社製、エレクトロストリッパーＥＡ：Ｎ・ビス・２・ヒドロキシルエチル・アルキルアミン）を用いた。
【００５４】
測定対象の植木鉢は、ランダムＰＰを担体に２％の有害生物忌避剤を含有せしめてなる組成物からの射出成形品（実施例２−１成形品とする）、ランダムＰＰを担体に４％の有害生物忌避剤を含有せしめてなる組成物からの射出成形品に１年相当の耐水促進試験処理を施したもの（実施例２−２成形品）、ブロックＰＰを担体に４％の有害生物忌避剤を含有せしめてなる組成物からの射出成形品（対照例２−１成形品とする）、ブロックＰＰを担体に５％の有害生物忌避剤を含有せしめてなる組成物からの射出成形品に１年相当の耐水促進処理を施したもの（対照例２−２成形品）、の４種について、それぞれ有害生物忌避剤のブリード量を測定した。
【００５５】
なお、１年相当の耐水促進試験処理は、対象物に３０分間、水をシャワー状にかけ続けた後、２３時間３０分の間、７０℃で乾燥処理し、その後再び水シャワーを３０分間かけ続け、また２３時間３０分の間７０℃で乾燥処理を行う、という一連の工程を計７回繰り返すものである。
【００５６】
また、有害生物忌避剤のブリード量の測定は、各植木鉢２個ずつを用い、表面をエタノールで洗浄し、該洗浄液を回収して洗浄液中の有害生物忌避剤をガスクロマトグラフにより定量分析して行った。ブリード量測定結果として、植木鉢２個当たりの有害生物忌避剤量および、単位表面積当たりの有害生物忌避剤量（植木鉢２個の表面積０．６ｍ２  として概算した値）をそれぞれ以下の表４に示す。
【００５７】
【表４】
2005139253.tif 000005
【００５８】
表４の結果から明らかなように、成形直後のものではランダムＰＰを担体とした組成物からなる射出成形品では、ブロックＰＰを担体とした組成物からなる射出成形品に比較して有害生物忌避剤の含有量が少ないにもかかわらずブリード量は多くなっており、前記耐水促進試験処理を施した場合でも、ランダムＰＰを担体とした組成物からなる射出成形品では、ブロックＰＰを担体とした組成物からなる射出成形品に比較して有害生物忌避剤の含有量が少ないにもかかわらずブリード量は同程度であった。従って、実際の有害生物忌避剤を用いた場合においても、ランダムＰＰを担体とした組成物からなる射出成形品が、ブロックＰＰを担体としたものより全体的にブリード性に優れていることが確認された。
【００５９】
また、上記各植木鉢についてナメクジに対する忌避効果を確認し、その結果も上記表４に示した。忌避効果は、各植木鉢に土を入れ、夕方にその土面上に１０匹のナメクジを置き、翌朝９時頃にその位置と匹数を確認するというものであり、これをそれぞれ２、３回行ってそれぞれ平均を求めた。確認位置は、最初にナメクジが置かれた鉢の中の土上、鉢の側面を含む縁、外側の鉢底面、鉢の真下の地面上、その他として鉢の外周辺を含む鉢から離れた場所の５カ所である。
【００６０】
ナメクジは、日が昇ると暗所に移動する性質があるため、通常で朝になると外側鉢底面に付着している状態が見られる。しかし、外側鉢底面へ移動するには植木鉢の縁から側面を伝って行かなければならないため、植木鉢に忌避剤のブリード効果が生じていれば、鉢底面への移動は困難であり、また、移動したとしても、鉢底面でも忌避効果が発揮されていれば、該鉢底面に留まることも困難となるはずである。即ち、鉢中の土の上に残るナメクジ数が多いほど、また外側鉢底面に付着しているナメクジ数が少ないほど高い忌避効果が発揮されていることになる。
【００６１】
そこで、各植木鉢で上記５カ所で確認した平均ナメクジ数を、忌避剤を全く含まないブロックＰＰ組成物から射出成形してなるブランク植木鉢を比較対照として見てみると、ブランク植木鉢では、通常通り１０匹全ナメクジが外側鉢底面に付着しているのに対して、組成物に忌避剤を含有せしめてなる４種の植木鉢いずれにも鉢の縁や側面だけでなく外側鉢底面にもナメクジが付着していなかった。
【００６２】
１年相当耐水促進処理無しの場合には、担体がランダムＰＰである実施例２−１成形品も担体がブロックＰＰである対照例２−１成形品も殆どのナメクジが移動できずに鉢中の土の上に残っており、１年相当耐水促進処理有りの場合には、担体がランダムＰＰで組成物中に４％有害生物忌避剤が含有されてなる実施例２−２成形品と担体がブロックＰＰで組成物中に５％有害生物忌避剤が含有させれなる対照例２−２成形品とでいずれも半数以上のナメクジが移動できずに鉢中の土の上に残り、移動できたナメクジは鉢真下の地面上か外周辺に位置しており、両者同等の忌避効果が持続していることが確認できた。これらの忌避効果は、ブリード量に対応したものとなっている。
【実施例３】
【００６３】
本発明の第３の実施例として、４％有害生物忌避剤を含有するランダムＰＰ樹脂組成物より成形した各種サイズの植木鉢について、有害生物忌避剤を含有しないランダムＰＰ樹脂組成物射出成形植木鉢を対照にして、ナメクジを用いた忌避効果を評価した。本実施例では、有害生物忌避剤として、アルキル基の炭素数１２のアルキルジエタノールアミンを主成分とするもの（株式会社鳳彰サニタリー販売元、虫バック：アルキルアミン誘導体９５％（うち９９％アルキルジエタノールアミン）、脂肪酸エステル類５％）を用いた。該忌避剤は、アミンキャッチャーや脂肪酸エステル類、脂肪酸化合物その他のブロック剤により、ジエタノールアミン等の遊離アミンがブロックされて減少し、パッチテストで準陰性である。
【００６４】
評価試験方法は、周囲を囲った地面領域内に忌避剤含有、非含有の２種の植木鉢を互いに中心位置同士の間隔が３０ｃｍとなるように離して設置し、各植木鉢内の底部にナメクジを誘因するビールの入った容器を置いて植木鉢開口を蓋で覆った後、両植木鉢の中間位置に計２０匹の新しいナメクジを載置し、夕方から翌日の朝にかけて一晩放置したのち、前記囲い内の領域で所定箇所のナメクジの数を計測した。なお、ここで云うところの「新しい」ナメクジとは、それ以前にどのような忌避試験にも全く使用されたことのないナメクジのことである。
【００６５】
各植木鉢は、底部中央が地面より上方に来る凸形状となっていると共に、ナメクジの出入りが可能な排水用孔が形成されている。本実施例で用いた植木鉢は、開口直径がそれぞれ１７ｃｍのもの（成形温度２００℃）、２０ｃｍのもの（成形温度２００℃）、２７ｃｍのもの（成形温度２１０℃）の３種であり、それぞれのサイズで前記有害生物忌避剤を含有せしめたものと非含有のものを用意し、成形直後のもの同士と、それぞれ前記１年相当耐水促進試験処理を施したもの同士とで試験に供した。試験結果は以下の表５に示す。なお、鉢の真下の地面上にいるものに関しては、ナメクジが暗所を好むためであって忌避効果には関係ない。
【００６６】
【表５】
2005139253.tif 000006
【００６７】
表５の結果から判るように、成形直後のもの、１年相当耐水促進試験処理を施したもののいずれの場合にも、有害生物忌避剤が含有されていない植木鉢に対して明らかに有害生物忌避剤含有植木鉢ではナメクジが付着しておらず、ランダムＰＰを担体としてアルキルジエタノールアミンを主成分とする有害生物忌避剤を含有せしめてなる組成物の射出成形品では、優れたブリード性による良好な忌避効果と共に、長期に亘る良好な徐効性も確保されたことが確認できた。また、１年相当耐水促進試験処理無しで、組成物中忌避剤含有量４％の鉢サイズ２０ｃｍ及び２７ｃｍの植木鉢では、両者とも、鉢真下地面上にいるナメクジが極めて少なかった。これは、直接植木鉢に触れない場所ながらも忌避剤のアミン臭が影響しているための思われる。
【００６８】
なお、以上の実施例で用いた有害生物忌避剤とは別のアルキルジエタノールアミンを主成分とする薬剤をランダムＰＰを担体として含有せしめた組成物からなる射出成形品についても検討してみたが、アルキル基の炭素数が１８と大きなものの場合、アルキル基の炭素数が１２のアルキルジエタノールアミンからなる有害生物忌避剤を含有するものの場合よりブリード性、忌避効果が低下する傾向にあったことから、本発明に有害生物忌避剤として用いるアルキルジエタノールアミンは、アルキル基の炭素数が１２〜１６と比較的小さいものとすることが望ましい。